(57)【要約】【課題】中間転写方式の画像形成装置において、記録材の種類によらず、中間転写体と記録材との転写域を通過した記録材の中間転写体への張り付きを抑制する。【解決手段】中間転写方式の画像形成装置であって、二次転写域にて中間転写体２の搬送軌跡に沿って二次転写部材５を移動可能に支持する支持機構６と、二次転写部材５よりも上流側にて中間転写体２の裏面に接触配置され、進退移動可能に設けられて中間転写体２の搬送軌跡面を形成する面出し部材７と、記録材Ｓが予め決められた坪量又は厚さ以下の種類である否かを判別する判別装置１１と、記録材Ｓが予め決められた坪量又は厚さ以下の種類であるときに、それ以外の場合に比べて、中間転写体２の上流側に二次転写部材５を移動させるように支持機構を制御し、中間転写体２から離れる方向に向かって面出し部材７を後退させるように面出し部材７の位置を制御する制御装置１２と、を備える。【選択図】図１
2014191098.tif 000002
【特許請求の範囲】
【請求項１】
各色成分トナーによる各色成分画像を形成して保持する一若しくは複数の像保持体と、
この像保持体に対向し且つ複数の張架部材に掛け渡されて循環搬送せしめられ、前記像保持体で形成された各色成分画像を記録材に転写する前に一時的に保持する薄肉状の中間転写体と、
前記像保持体に対向する中間転写体の裏面に設けられ、前記像保持体との間の一次転写域に転写電界を形成することで前記像保持体に保持された各色成分画像を中間転写体に転写させる一次転写部材と、
前記中間転写体の裏面に設けられた張架部材に対向して当該中間転写体の表面に接触配置され、前記張架部材との間の二次転写域に転写電界を形成することで前記一次転写部材にて中間転写体に転写された各色成分画像を記録材に転写させる二次転写部材と、
前記二次転写域にて前記中間転写体の搬送方向上流側に二次転写部材を移動可能に支持する支持機構と、
前記二次転写部材よりも中間転写体の搬送方向上流側にて中間転写体の裏面に接触配置され、中間転写体の面方向に交差する方向に沿って進退移動可能に設けられて前記二次転写域に至る中間転写体の搬送軌跡面を形成する面出し部材と、
記録材が予め決められた坪量又は厚さ以下の種類である否かを判別する判別装置と、
この判別装置により記録材が予め決められた坪量又は厚さ以下の種類であると判別されたときに、それ以外の場合に比べて、前記中間転写体の搬送方向上流側に前記二次転写部材を移動させるように前記支持機構を制御すると共に、中間転写体と二次転写部材との間の角度を大きくする方向に向かって前記面出し部材を移動させるように当該面出し部材の位置を制御する制御装置と、
を備えたことを特徴とする画像形成装置。
【請求項２】
請求項１記載の画像形成装置において、
前記制御装置は、前記判別装置により記録材が予め決められた坪量又は厚さ以下の種類であると判別されたときに、二次転写域の入口側における二次転写部材の接線方向と中間転写体との間の角度を、二次転写部材、面出し部材が移動する前に形成されていた角度と略同一に選定するものであることを特徴とする画像形成装置。
【請求項３】
請求項１又は２記載の画像形成装置において、
前記判別装置により記録材が予め決められた坪量又は厚さ以下の種類であると判別されたときに、前記面出し部材が移動したことに伴う中間転写体の撓みを相殺するように当該中間転写体の張力を調整する張力調整部材を有することを特徴とする画像形成装置。
【請求項４】
請求項３記載の画像形成装置において、
前記張力調整部材は、前記中間転写体の二次転写域よりも中間転写体の搬送方向下流側で、かつ、中間転写体の搬送方向最上流に位置する像保持体よりも上流側に位置する張架部材より中間転写体の搬送方向上流側に配置されていることを特徴とする画像形成装置。
【請求項５】
請求項４記載の画像形成装置において、
前記張力調整部材は、二次転写域の出口側における二次転写部材の接線方向と中間転写体との間の角度を略同一に保つように移動するものである特徴とする画像形成装置。
【請求項６】
請求項３記載の画像形成装置において、
前記張力調整部材は、前記中間転写体の面出し部材の配設位置よりも中間転写体の搬送方向上流側で、かつ、中間転写体の搬送方向最下流に位置する像保持体よりも下流側に位置する張架部材より中間転写体の搬送方向下流側に配置されていることを特徴とする画像形成装置。
【請求項７】
請求項１ないし６いずれかに記載の画像形成装置において、
前記面出し部材は、前記判別装置により記録材が予め決められた坪量又は厚さ以下の種類であると判別されたときに、複数段階に亘って移動するものであることを特徴とする画像形成装置。
【請求項８】
請求項７記載の画像形成装置において、
温度及び湿度を含む環境条件が検知可能な検知手段を更に備え、
前記制御装置は、前記判別装置により記録材が予め決められた坪量又は厚さ以下の種類であると判別されたときに、環境条件が予め決められた低温低湿環境である条件では、これ以外の環境条件の場合に比べて前記面出し部材の移動量を大きく設定するものであることを特徴とする画像形成装置。
【請求項９】
請求項３記載の画像形成装置において、
前記中間転写体の張架部材のいずれかが当該中間転写体に予め決められた張力を付与する張力付与部材を兼用し、
前記張力調整部材の変位量は前記張力付与部材の変位量よりも大きく設定されていることを特徴とする画像形成装置。
【請求項１０】
請求項１ないし３いずれかに記載の画像形成装置において、
前記二次転写部材とこれに対向する張架部材との抵抗比は、前記二次転写部材の抵抗をＲａ、前記張架部材の抵抗をＲｂとすれば、Ｒａ＞Ｒｂの関係を満たすことを特徴とする画像形成装置。
【請求項１１】
請求項１ないし３いずれかに記載の画像形成装置において、
前記記録材の搬送経路のうち前記二次転写域の前に設けられ、前記記録材の先端が二次転写部材側に向かって凸となるカールを付与するように当該記録材に対し事前に処理する事前処理手段を備えていることを特徴とする画像形成装置。
【請求項１２】
請求項１１記載の画像形成装置において、
前記事前処理手段は記録材の二次転写部材側の面を負極性に帯電させる帯電処理を兼ねるものであることを特徴とする画像形成装置。
【請求項１３】
請求項１ないし３いずれかに記載の画像形成装置において、
前記記録材の搬送経路のうち前記二次転写域を通過した部位に設けられ、前記記録材の帯電状態が補正可能な帯電補正手段を備えていることを特徴とする画像形成装置。
【請求項１４】
請求項１３記載の画像形成装置において、
前記制御装置は、前記判別装置により記録材が予め決められた坪量又は厚さ以下の種類であると判別されたときに、前記二次転写部材の位置移動量に応じて前記帯電補正手段の補正量を設定するものであることを特徴とする画像形成装置。
【発明の詳細な説明】
【技術分野】
【０００１】
本発明は、画像形成装置に関する。
【背景技術】
【０００２】
従来この種の画像形成装置としては例えば特許文献１，２に記載のものが既に知られている。
特許文献１には、転写ローラの感光ドラムと圧接する転写ニップ部の位置を、例えば転写材として分離性が不利な薄紙の場合には、制御装置からのＯＮ信号によりソレノイドをＯＮ状態にして加圧レバーを揺動させて、転写材の搬送方向上流側に向けて転写ローラ角度を５度から１０度に切換えることにより、転写材の感光体からの良好な分離性を確保しながら、良好な画質を得る画像形成装置が開示されている。
特許文献２には、像担持体から転写材へのトナー像転写位置に対して転写材搬送方向下流側近傍に配置され、転写材の除電をおこなう除電針と、転写ローラと加熱定着装置の間で転写材の搬送高さを検知する搬送高さ検知手段とを設け、この検知手段の検知結果に応じて除電針に印加する除電バイアス電圧を制御可能とする画像形成装置が開示されている。
【先行技術文献】
【特許文献】
【０００３】
【特許文献１】特開２００１−５３１１号公報（発明の実施の形態，図２）
【特許文献２】特開２００８−２１６４６８号公報（発明の実施するための最良の形態，図２）
【発明の概要】
【発明が解決しようとする課題】
【０００４】
本発明が解決しようとする技術的課題は、中間転写方式の画像形成装置において、記録材の種類によらず、中間転写体と記録材との転写域を通過した記録材の中間転写体への貼り付きを抑制することにある。
【課題を解決するための手段】
【０００５】
請求項１に係る発明は、各色成分トナーによる各色成分画像を形成して保持する一若しくは複数の像保持体と、この像保持体に対向し且つ複数の張架部材に掛け渡されて循環搬送せしめられ、前記像保持体で形成された各色成分画像を記録材に転写する前に一時的に保持する薄肉状の中間転写体と、前記像保持体に対向する中間転写体の裏面に設けられ、前記像保持体との間の一次転写域に転写電界を形成することで前記像保持体に保持された各色成分画像を中間転写体に転写させる一次転写部材と、前記中間転写体の裏面に設けられた張架部材に対向して当該中間転写体の表面に接触配置され、前記張架部材との間の二次転写域に転写電界を形成することで前記一次転写部材にて中間転写体に転写された各色成分画像を記録材に転写させる二次転写部材と、前記二次転写域にて前記中間転写体の搬送方向上流側に二次転写部材を移動可能に支持する支持機構と、前記二次転写部材よりも中間転写体の搬送方向上流側にて中間転写体の裏面に接触配置され、中間転写体の面方向に交差する方向に沿って進退移動可能に設けられて前記二次転写域に至る中間転写体の搬送軌跡面を形成する面出し部材と、記録材が予め決められた坪量又は厚さ以下の種類である否かを判別する判別装置と、この判別装置により記録材が予め決められた坪量又は厚さ以下の種類であると判別されたときに、それ以外の場合に比べて、前記中間転写体の搬送方向上流側に前記二次転写部材を移動させるように前記支持機構を制御すると共に、中間転写体と二次転写部材との間の角度を大きくする方向に向かって前記面出し部材を移動させるように当該面出し部材の位置を制御する制御装置と、を備えたことを特徴とする画像形成装置である。
【０００６】
請求項２に係る発明は、請求項１に係る画像形成装置において、前記制御装置は、前記判別装置により記録材が予め決められた坪量又は厚さ以下の種類であると判別されたときに、二次転写域の入口側における二次転写部材の接線方向と中間転写体との間の角度を、二次転写部材、面出し部材が移動する前に形成されていた角度と略同一に選定するものであることを特徴とする画像形成装置である。
請求項３に係る発明は、請求項１又は２に係る画像形成装置において、前記判別装置により記録材が予め決められた坪量又は厚さ以下の種類であると判別されたときに、前記面出し部材が移動したことに伴う中間転写体の緩みを相殺するように当該中間転写体の張力を調整する張力調整部材を有することを特徴とする画像形成装置である。
請求項４に係る発明は、請求項３に係る画像形成装置において、前記張力調整部材は、前記中間転写体の二次転写域よりも中間転写体の搬送方向下流側で、かつ、中間転写体の搬送方向最上流に位置する像保持体よりも上流側に位置する張架部材より中間転写体の搬送方向上流側に配置されていることを特徴とする画像形成装置である。
請求項５に係る発明は、請求項４に係る画像形成装置において、前記張力調整部材は、二次転写域の出口側における二次転写部材の接線方向と中間転写体との間の角度を略同一に保つように移動するものである特徴とする画像形成装置である。
請求項６に係る発明は、請求項３に係る画像形成装置において、前記張力調整部材は、前記中間転写体の面出し部材の配設位置よりも中間転写体の搬送方向上流側で、かつ、中間転写体の搬送方向最下流に位置する像保持体よりも下流側に位置する張架部材より中間転写体の搬送方向下流側に配置されていることを特徴とする画像形成装置である。
請求項７に係る発明は、請求項１ないし６いずれかに係る画像形成装置において、前記面出し部材は、前記判別装置により記録材が予め決められた坪量又は厚さ以下の種類であると判別されたときに、複数段階に亘って移動するものであることを特徴とする画像形成装置である。
【０００７】
請求項８に係る発明は、請求項７に係る画像形成装置において、温度及び湿度を含む環境条件が検知可能な検知手段を更に備え、前記制御装置は、前記判別装置により記録材が予め決められた坪量又は厚さ以下の種類であると判別されたときに、環境条件が予め決められた低温低湿環境である条件では、これ以外の環境条件の場合に比べて前記面出し部材の移動量を大きく設定するものであることを特徴とする画像形成装置である。
請求項９に係る発明は、請求項３に係る画像形成装置において、前記中間転写体の張架部材のいずれかが当該中間転写体に予め決められた張力を付与する張力付与部材を兼用し、前記張力調整部材の変位量は前記張力付与部材の変位量よりも大きく設定されていることを特徴とする画像形成装置である。
請求項１０に係る発明は、請求項１ないし３いずれかに係る画像形成装置において、前記二次転写部材とこれに対向する張架部材との抵抗比は、前記二次転写部材の抵抗をＲａ、前記張架部材の抵抗をＲｂとすれば、Ｒａ＞Ｒｂの関係を満たすことを特徴とする画像形成装置である。
請求項１１に係る発明は、請求項１ないし３いずれかに係る画像形成装置において、前記記録材の搬送経路のうち前記二次転写域の前に設けられ、前記記録材の先端が二次転写部材側に向かって凸となるカールを付与するように当該記録材に対し事前に処理する事前処理手段を備えていることを特徴とする画像形成装置である。
請求項１２に係る発明は、請求項１１に係る画像形成装置において、前記事前処理手段は記録材の二次転写部材側の面を負極性に帯電させる帯電処理を兼ねるものであることを特徴とする画像形成装置である。
請求項１３に係る発明は、請求項１ないし３いずれかに係る画像形成装置において、前記記録材の搬送経路のうち、前記二次転写域を通過した部位に設けられ、前記記録材の帯電状態が補正可能な帯電補正手段を備えていることを特徴とする画像形成装置である。
請求項１４に係る発明は、請求項１３に係る画像形成装置において、前記制御装置は、前記判別装置により記録材が予め決められた坪量又は厚さ以下の種類であると判別されたときに、前記二次転写部材の位置移動量に応じて前記帯電補正手段の補正量を設定するものであることを特徴とする画像形成装置である。
【発明の効果】
【０００８】
請求項１に係る発明によれば、中間転写方式の画像形成装置において、記録材の種類によらず、中間転写体と記録材との転写域を通過した記録材の中間転写体への貼り付きを抑制することができる。
請求項２に係る発明によれば、本構成を有さない態様に比べて、二次転写部材が中間転写体の搬送方向上流側に変位したとしても、二次転写域の入口付近で中間転写体と二次転写部材とが接近し過ぎることに起因する転写電界による放電を抑制し、中間転写体上の転写前の画像乱れを有効に防止することができる。
請求項３に係る発明によれば、本構成を有さない態様に比べて、中間転写体の緩みを抑制することができ、中間転写体の走行性や中間転写体の緩みによる画質不良を回避することができる。
請求項４に係る発明によれば、中間転写体に対して面出し部材が進退動したとしても、二次転写域よりも中間転写体の搬送方向下流側にて中間転写体の張力を調整し、中間転写体の緩みを抑制することができる。
請求項５に係る発明によれば、本構成を有さない態様に比べて、二次転写域を通過した記録材の中間転写体への貼り付きをより確実に防止することができる。
請求項６に係る発明によれば、中間転写体に対して面出し部材が進退動したとしても、下流側にて中間転写体の張力を調整することができる。
請求項７に係る発明によれば、本構成を有さない態様に比べて、記録材が予め決められた坪量又は厚さ以下であるときに、二次転写域へ突入する中間転写体の突入姿勢をより細かく選定することができる。
請求項８に係る発明によれば、本構成を有さない態様に比べて、記録材が帯電し易い環境であるとしても、二次転写域の入口付近での記録材と中間転写体との間の放電を有効に抑え、画像乱れの要因を抑制することができる。
請求項９に係る発明によれば、本構成を有さない態様に比べて、一次転写部材の一時退避や、面出し部材の後退移動によって中間転写体の張力が緩んだとしても、中間転写体の緩みを複数箇所で分担して調整することができる。
請求項１０に係る発明によれば、記録材が予め決められた坪量又は厚さ以下の種類であっても、二次転写域を通過した記録材の排出姿勢を中間転写体から離し、かつ、記録材の先端を二次転写部材から離れる向きに向けて引っ張ることができ、二次転写部材への巻き付きを有効に防止することができる。
請求項１１に係る発明によれば、記録材が予め決められた坪量又は厚さ以下の種類であっても、二次転写域を通過する記録材の先端を浮き上がらせることができ、二次転写部材からの記録材を安定的に剥離することができる。
請求項１２に係る発明によれば、記録材が予め決められた坪量又は厚さ以下の種類であっても、中間転写体に記録材が貼り付くことを抑制できると共に、二次転写部材に吸着して二次転写域を通過する記録材の先端を浮き上がらせることができ、二次転写部材からの記録材を安定的に剥離することができる。
請求項１３に係る発明によれば、記録材が予め決められた坪量又は厚さ以下の種類であっても、二次転写域を通過した記録材の排出姿勢を中間転写体から離し、かつ、記録材の先端を二次転写部材から離れる向きに向けて引っ張ることができ、二次転写部材への巻き付きを有効に防止することができる。
請求項１４に係る発明によれば、予め決められた坪量又は厚さ以下の薄い記録材の排出姿勢をより的確に調整することができ、記録材の中間転写体への貼り付きや二次転写部材への巻き付きをより有効に回避することができる。
【図面の簡単な説明】
【０００９】
【図１】（ａ）は本発明が適用された画像形成装置の実施の形態の概要を示す説明図、（ｂ）はその要部を示す説明図である。
【図２】（ａ）は記録材が厚紙である条件での二次転写域周辺の動作状態を示し、（ｂ）は記録材が薄紙である条件での二次転写域周辺の動作状態を示す説明図である。
【図３】実施の形態１に係る画像形成装置の全体構成を示す説明図である。
【図４】実施の形態１に係る画像形成装置の駆動制御系を示す説明図である。
【図５】（ａ）は実施の形態１で用いられる中間転写体のリトラクト機構を示す説明図、（ｂ）はリトラクト機構の動作状態を示す説明図である。
【図６】（ａ）は実施の形態１に係る画像形成装置で用いられる中間転写体の張架ロールのうち、最下流の画像形成部の直後に位置する張架ロールの支持構造例を示す説明図、（ｂ）（ｃ）は（ａ）で示す張架ロールの他の支持構造例を示す説明図である。
【図７】（ａ）は実施の形態１で用いられる二次転写装置の構成例を示す説明図、（ｂ）は二次転写装置の二次転写域を通過する用紙としての薄紙の挙動を示す説明図である。
【図８】（ａ）は二次転写ロールの支持機構の一例を示す説明図、（ｂ）は二次転写ロールの動作例を示す説明図である。
【図９】（ａ）は面出しロールの駆動機構の一例を示す説明図、（ｂ）は面出しロールがＣ位置（張り出した位置（本例では最も張り出した位置））に配置される状態を示す説明図、（ｃ）は面出しロールがＤ位置（張り出した位置から後退した位置（本例では最も後退した位置））に配置される状態を示す説明図である。
【図１０】（ａ）は張力調整ロールの支持構造の一例を示す説明図、（ｂ）は張力調整ロールの動作例を示す説明図である。
【図１１】実施の形態１に係る画像形成装置の作像制御処理の一例を示すフローチャートである。
【図１２】（ａ）は作像モードがフルカラーモードである場合の各感光体と中間転写体との配置関係を示す説明図、（ｂ）は作像モードが単Ｋモードである場合の各感光体と中間転写体との配置関係を示す説明図、（ｃ）は最下流の画像形成部とその直後の張架ロールとの間の距離が短い場合における中間転写体の張架状態を模式的に示す説明図、（ｄ）は最下流の画像形成部とその直後の張架ロールとの間の距離が長い場合における中間転写体の張架状態を模式的に示す説明図である。
【図１３】実施の形態１に係る画像形成装置の作像時における中間転写体の掛け渡し状態の変化を示す説明図である。
【図１４】（ａ）は実施の形態１で用いられる張力調整ロールの支持構造の変形例１を示す説明図、（ｂ）はその変形例２を示す説明図である。
【図１５】実施の形態２に係る画像形成装置の要部を示す説明図である。
【図１６】実施の形態２に係る画像形成装置の作像制御処理の一例を示すフローチャートである。
【図１７】実施の形態３に係る画像形成装置の要部を示す説明図である。
【図１８】実施の形態４に係る画像形成装置の要部を示す説明図である。
【図１９】実施の形態４に係る画像形成装置の変形例を示す説明図である。
【図２０】実施の形態５に係る画像形成装置の要部を示す説明図である。
【図２１】実施の形態５係る画像形成装置の駆動制御例を示す説明図である。
【図２２】実施例１に係る画像形成装置において、転写条件、二次転写ロール位置が用紙種に対する通紙動作にどのように影響するかを評価した説明図である。
【図２３】実施例２に係る画像形成装置において、転写条件、二次転写ロール位置、面出しロール・張力調整ロール位置が用紙種に対する通紙動作、画質にどのように影響するか評価した説明図である。
【発明を実施するための形態】
【００１０】
◎実施の形態の概要
図１（ａ）は本発明が適用された画像形成装置の実施の形態の概要を示し、同図（ｂ）は中間転写体の二次転写域周辺の要部構成を示す。
同図において、画像形成装置は、各色成分トナーによる各色成分画像を形成して保持する一若しくは複数の像保持体１（本例では１ａ〜１ｄ）と、この像保持体１に対向し且つ複数の張架部材３（本例では３ａ〜３ｃ）に掛け渡されて循環搬送せしめられ、像保持体１で形成された各色成分画像を記録材Ｓに転写する前に一時的に保持する薄肉状の中間転写体２と、像保持体１に対向する中間転写体２の裏面に設けられ、像保持体１との間の一次転写域に転写電界を形成することで像保持体１に保持された各色成分画像を中間転写体２に転写させる一次転写部材４と、中間転写体２の裏面に設けられた張架部材３（本例では３ｃ）に対向して当該中間転写体２の表面に接触配置され、張架部材３ｃとの間の二次転写域に転写電界を形成することで一次転写部材４にて中間転写体２に転写された各色成分画像を記録材Ｓに転写させる二次転写部材５と、二次転写域にて中間転写体２の搬送方向上流側に二次転写部材５を移動可能に支持する支持機構６と、二次転写部材５よりも中間転写体２の搬送方向上流側にて中間転写体２の裏面に接触配置され、中間転写体２の面方向に交差する方向に沿って進退移動可能に設けられて二次転写域に至る中間転写体２の搬送軌跡面を形成する面出し部材７と、記録材Ｓが予め決められた坪量又は厚さ以下の種類である否かを判別する判別装置１１と、この判別装置１１により記録材Ｓが予め決められた坪量又は厚さ以下の種類であると判別されたときに、それ以外の場合に比べて、中間転写体２の搬送方向上流側に二次転写部材５を移動させるように支持機構６を制御すると共に、中間転写体２と二次転写部材５との間の角度を大きくする方向に向かって面出し部材７を移動させるように当該面出し部材７の位置を制御する制御装置１２と、を備えたものである。
尚、図中符号８は二次転写域に向けて記録材Ｓを搬送する搬送部材である。
【００１１】
このような技術的手段において、本態様は、中間転写方式の画像形成装置を前提とする。ここで、像保持体１の数は一でもよいし、複数の所謂タンデム型のいずれでもよい。
例えば複数の像保持体１を有するタンデム型の画像形成装置にあっては、中間転写体２に対して各像保持体１を画像形成時には常に接触配置する態様でもよいし、画像形成に使用する像保持体１に対して中間転写体２を相対的に接離する接離機構を付加した態様でもよい。
また、‘薄肉状の中間転写体２’とは、中間転写ベルトは勿論、薄板状の中間転写ドラムをも含む趣旨である。
更に、一次転写部材４は、像保持体１との間の一次転写域に転写電界を形成することが可能であれば、中間転写体２の裏面に接触する転写部材（例えば転写ロール）でもよいし、あるいは、非接触型のコロトロン等でもよい。
更にまた、二次転写部材５としては、対向部材との間の二次転写域に転写電界を形成し、かつ、中間転写体２の表面に接触配置されるものであればよく、代表的にはロール構成が挙げられる。
【００１２】
また、支持機構６は二次転写部材５を対向部材に加圧した状態で中間転写体２の搬送方向上流側に移動させる態様であれば、例えば加圧レバーを用いた方式など適宜選定して差し支えない。
面出し部材７の移動方式は例えばカムなどを用いて進退移動させるようにすればよい。また、面出し部材７の変位量は、二次転写部材５の中間転写体２の搬送方向上流側への移動量（対向部材の中心位置と移動前の二次転写部材の中心位置とを結ぶ移動前の基準線に対し、対向部材の中心位置と移動後の二次転写部材の中心位置とを結ぶ移動後の基準線との間の角度に相当するオフセット量）に応じて適宜選定するようにすればよい。
更に、判別装置１１は記録材の種類として坪量又は厚さが予め決められた閾値以下のもの（所謂薄紙）であるか否かを判別するものであれば、記録材選択器による選択情報や、検知器にて記録材の種類を検知した情報に基づいて判別するものを広く含む。
【００１３】
また、制御装置１２としては、記録材Ｓが予め決められた坪量又は厚さ以下であるときに、二次転写部材５の位置を中間転写体２の搬送方向上流側に所定のオフセット量だけ変位させ、及び、面出し部材７の位置を中間転写体２と二次転写部材５との間の角度を大きくする方向に移動させ、記録材Ｓから離れる方向に中間転写体２の表面軌跡を配置するものであればよい。
このとき、二次転写部材５をオフセット変位させると、二次転写域を通過する記録材Ｓの排出姿勢が中間転写体２から離れる方向に向かうことから、薄い記録材Ｓは中間転写体２に貼り付きにくい点で好ましい。
更に、二次転写部材５のオフセット変位に伴って中間転写体２と二次転写部材５との間の距離が狭くなり、これに伴って、中間転写体２と記録材Ｓとの間の距離も狭くなってしまう。本例では、面出し部材７を移動させることで、接近する記録材Ｓから中間転写体２を離すことが可能である。このため、二次転写域の入口付近で二次転写部材５と中間転写体２とが接近し過ぎることに起因して転写電界による放電が起こり、中間転写体２上の画像が転写前に乱れるという事態は有効に回避される。
【００１４】
つまり、本例では、記録材Ｓが予め決められた坪量又は厚さ以下の種類ではない所謂厚紙Ｓ１のときには、図２（ａ）に示すように、二次転写部材５、面出し部材７は夫々予め決められた位置（Ａ位置、Ｃ位置）に設定され、腰の強い厚紙Ｓ１は、二次転写域にて転写電界の作用を受けながら二次転写域を通過した後、二次転写部材５，対向部材３ｃの中心間を結ぶ中心基準線Ｏ１に略直交する基準線Ｌ１方向に沿って排出される。
これに対し、記録材Ｓが予め決められた坪量又は厚さ以下の種類である所謂薄紙Ｓ２のときには、図２（ｂ）に示すように、二次転写部材５は、Ａ位置から中間転写体２の搬送方向上流側に所定量オフセットしたＢ位置に移動し、また、面出し部材７は、中間転写体２と二次転写部材５との間の角度を大きくするようにＣ位置からＤ位置に移動する。
この状態において、二次転写部材５，対向部材３ｃの中心間を結ぶ中心線Ｏ２がＯ１に対し角度βだけ図中右寄りに傾斜し、その分、中心基準線Ｏ２に略直交する基準線Ｌ２はＬ１よりも中間転写体２から離れた方向に傾斜配置され、腰の弱い薄紙Ｓ２は、二次転写域にて転写電界の作用を受けながら二次転写域を通過した後、基準線Ｌ２方向に沿って排出される。薄紙Ｓ２は中間転写体２には貼り付かないように中間転写体２からは十分離れて排出される。
一方、面出し部材７が中間転写体２と二次転写部材５との角度を大きくする方向に移動することから、二次転写域の入口に至る中間転写体２と二次転写部材５との間に形成される角度が不必要に狭まることはなく、二次転写域の入口で転写電界による放電が起こり、中間転写体２上の画像が乱れる懸念は少ない。
【００１５】
次に、本実施の形態における画像形成装置の代表的態様又は好ましい態様について説明する。
先ず、面出し部材７の好ましい移動量の選定するに当たり、制御装置１２は、判別装置１１により記録材が予め決められた坪量又は厚さ以下の種類であると判別されたときに、二次転写域の入口側における二次転写部材５の接線方向と中間転写体２との間の角度を、二次転写部材５、面出し部材７が移動する前に形成されていた角度と略同一に選定するものである態様が挙げられる。
つまり、記録材Ｓの坪量又は厚さが予め決められた値以下であるとき、二次転写部材５が中間転写体２の搬送方向上流側にオフセット変位したことに伴い、二次転写域の入口における二次転写部材５の接線方向は中間転写体２寄りに移動するので、記録材５の二次転写域への突入姿勢が中間転写体２寄りに移動する。このとき、面出し部材７の中間転写体２から離れる方向への移動量は適宜選定して差し支えないが、二次転写部材５の接線方向と中間転写体２との間の角度が略同一に保てれば、二次転写域の入口直前で中間転写体２と二次転写部材５とが接近し過ぎることに起因する転写電界による放電は生じない。
【００１６】
また、画像形成装置の好ましい態様としては、判別装置１１により記録材Ｓが予め決められた坪量又は厚さ以下の種類であると判別されたときに、面出し部材７が移動したことに伴う中間転写体２の緩みを相殺するように当該中間転写体２の張力を調整する張力調整部材１３を有する態様が挙げられる。
張力調整部材１３は、面出し部材７の移動に伴う中間転写体２の緩みを吸収するものであればよく、一次転写性、二次転写性、面出し部材７による中間転写体２の面出し性に影響しない部位であれば、中間転写体２の内側又は外側の任意の部位に設けるようにして差し支えない。そして、面出し部材７が移動すると、これに伴って中間転写体２が緩むが、本態様では、張力調整部材１３によって中間転写体２の張力が保たれることから、中間転写体の緩みが相殺される。
【００１７】
次に、張力調整部材１３の代表的配設例としては、中間転写体２の二次転写域よりも中間転写体２の搬送方向下流側で、かつ、中間転写体２の搬送方向最上流に位置する像保持体１（本例では１ａ）よりも上流側に位置する張架部材３（本例では３ａ）より中間転写体２の搬送方向上流側に配置されているものが挙げられる。
本態様は、二次転写域よりも中間転写体２の搬送方向下流側に張力調整部材１３を配設する例である。
ここで、中間転写体２の搬送方向最上流に位置する像保持体１（本例では１ａ）よりも中間転写体２の上流側に位置する張架部材３（本例では３ａ）より仮に中間転写体２の搬送方向下流側に張力調整部材１３を配設すると、張力調整部材１３が変位することに伴って像保持体１と一次転写部材４との一次転写域が変位する懸念があり、一次転写域での画像転写性に影響する虞れがある。また、張力調整部材１３が中間転写体２の面方向と交差する方向に移動してもよいが、中間転写体２への記録材Ｓの貼り付きを有効に回避するには、二次転写域を通過した記録材Ｓに対して中間転写体２が接近し過ぎないように対処することが好ましい。
この配設例の好ましい態様としては１、張力調整部材１３は、二次転写域の出口側における二次転写部材５の接線方向と中間転写体２との間の角度を略同一に保つように移動するものが挙げられる。
張力調整部材１３の移動方向は任意であるが、中間転写体２への記録材Ｓの貼り付きを有効に回避するには、中間転写体２が二次転写域を通過する記録材Ｓに接近する方向に大きく移動しないようにすることが必要であり、好ましい一態様としては、二次転写域を通過した記録材Ｓに対する中間転写体２の配設角度が略同一に保たれるように張力調整部材１３が移動するものであればよい。ここで、‘略同一’は中間転写体２の配設角度が変化しない態様の他に、中間転写体２の配設角度の変化分が小さいものを含む趣旨である。
本態様の代表例としては、(1)中間転写体２のうち二次転写部材５と張力調整部材１３との間の面方向に沿って張力調整部材１３を移動させる例、(2)二次転写域から十分に離れた部位で中間転写体２の面方向に交差する方向に張力調整部材１３を移動させる例、(3)張力調整部材１３よりも中間転写体２の搬送方向上流側に位置出し部材を配置することで二次転写域に対する中間転写体２の傾斜姿勢を一定に保ち、中間転写体の面方向に交差する方向に張力調整部材１３を移動させる例などが挙げられる。
【００１８】
また、張力調整部材１３の好ましい他の配設例としては、中間転写体２の面出し部材７の配設位置よりも中間転写体２の搬送方向上流側で、かつ、中間転写体２の搬送方向最下流に位置する像保持体１（本例では１ｄ）よりも下流側に位置する張架部材３（本例では３ｂ）より中間転写体２の搬送方向下流側に配置されている態様か挙げられる。
本態様は、二次転写域よりも中間転写体２の搬送方向上流側に張力調整部材１３を配設する例である。
本態様では、面出し部材７による中間転写体２の二次転写域へ至る突入面を損なわないように、面出し部材７より中間転写体の搬送方向上流側に配置され、また、一次転写域での画像転写性に影響を与えないように、最下流に位置する像保持体１（本例では１ｄ）よりも中間転写体２の搬送方向下流側に位置する張架部材３（本例では３ｂ）より中間転写体２の搬送方向下流側に配置されることを要する。
【００１９】
また、面出し部材７の好ましい態様としては、判別装置１１により記録材Ｓが予め決められた坪量又は厚さ以下の種類であると判別されたときに、複数段階に亘って移動するものである態様が挙げられる。
本態様の代表例としては、温度及び湿度を含む環境条件が検知可能な検知手段１４を更に備え、制御装置１２は、判別装置１１により記録材Ｓが予め決められた坪量又は厚さ以下の種類であると判別されたときに、環境条件が予め決められた低温低湿環境である条件では、これ以外の環境条件の場合に比べて面出し部材７の移動量を大きく設定するものがある。
検知手段１４にて温度及び湿度の環境情報を検知し、制御装置１２は、予め決められた低温低湿環境の条件では、面出し部材７の移動量をそれ以外の環境条件よりも大きく設定し、記録材Ｓに対して中間転写体２の二次転写域への突入姿勢角度をより大きな角度に設定する。つまり、低温低湿環境では、記録材Ｓが帯電し易いことから、二次転写域の入口付近で中間転写体２と記録材Ｓとの簡で放電が起こる懸念があり、これを回避する上で、二次転写域の入口付近で記録材Ｓに対して中間転写体２の突入姿勢角度をより離すようにしたものである。
【００２０】
また、張架部材３のいずれか（例えば３ｂ）が張力付与部材を兼用している態様がある。
この種の画像形成装置では、中間転写体２の張架部材３のいずれかが当該中間転写体２に予め決められた張力を付与する張力付与部材を兼用し、張力調整部材１３の変位量は張力付与部材の変位量よりも大きく設定されていることが好ましい。
張架部材３が張力付与部材を兼用している態様においては、例えば一次転写部材４が中間転写体２から退避すると、その分、中間転写体２の張力が緩むが、この緩みは通常１ｍｍ程度であり、張力付与部材で吸収される。
ここで、仮に、この張力付与部材が張力調整部材１３を兼用するものとすれば、面出し部材７が後退移動したときに、この移動量を吸収するには張力付与部材を１０ｍｍ以上移動させる必要がある。すると、像保持体１と張力付与部材との間の中間転写体２の長さが長くなり、中間転写体２が大きく撓み、像保持体１と中間転写体２との一次転写域にて放電により画像乱れが生ずる。このため、中間転写体２のうち一次転写面を形成する部位に張力調整部材１３を配置することは困難であり、本態様のように、一次転写面を形成する張架部材３が張力付与部材を兼用していても、これとは別に張力調整部材１３を設けることが好ましい。
【００２１】
また、二次転写部材５とこれに対向する張架部材３（本例では３ｃ）との好ましい態様としては、二次転写部材５とこれに対向する張架部材３（３ｃ）との抵抗比は、二次転写部材５の抵抗をＲａ、張架部材３（３ｃ）の抵抗をＲｂとすれば、Ｒａ＞Ｒｂの関係を満たすものが挙げられる。
二次転写部材５抵抗Ｒａを対向部材（張架部材）の抵抗Ｒｂよりも大きく設定することで、記録材Ｓの表側の放電量を多くし記録材Ｓが全体として弱い正帯電となるように制御するものである。つまり、二次転写部材５が中間転写体２の搬送方向上流側にオフセット変位することで、記録材Ｓは二次転写部材５から先に剥離し、続いて中間転写体２から剥離する。この際、記録材Ｓ裏面を正帯電する放電が先に発生することで記録材Ｓ全体は正帯電する。続いて、中間転写体２から剥離する際に記録材Ｓ表面を負帯電する放電が発生する。記録材Ｓを大きく正帯電してしまうと中間転写体２に静電的に引っ張られて貼り付いてしまう。従って、記録材Ｓを弱い正帯電に制御するには、二次転写部材５からの剥離放電を小さくするように二次転写部材５の抵抗Ｒａを対向する張架部材３の抵抗Ｒｂに比べて大きくするようにしたものである。本例では、薄い記録材Ｓは中間転写体２から離れる方向に姿勢を変化させていることから、本例のような抵抗比のある二次転写部材５、張架部材３（３ｃ）であれば、記録材Ｓの先端が中間転写体２側に引っ張られ、二次転写部材５に巻き付くことは抑制される。
【００２２】
また、画像形成装置の好ましい態様としては、記録材Ｓの搬送経路のうち二次転写域の前に設けられ、記録材Ｓの先端が二次転写部材５側に向かって凸となるカールを付与するように当該記録材Ｓに対し事前に処理する事前処理手段（図示せず）を備えている態様が挙げられる。
本態様では、事前処理手段にて、薄い記録材Ｓの先端に二次転写部材５側に向けて凸となるカールを形成しておけば、記録材Ｓが二次転写域を通過したとしても、二次転写部材５から記録材Ｓの先端が浮き上がることから、例えば後述する帯電補正手段１５にて記録材Ｓの先端を除電することが可能になり、二次転写部材５から記録材Ｓを安定的に剥離し易い点で好ましい。
更に、事前処理手段としては、記録材Ｓの二次転写部材５側の面を負極性に帯電させる帯電処理を兼ねるものが好ましい。本態様では、薄い記録材Ｓは中間転写体２に貼り付きにくく、薄い記録材Ｓが二次転写部材５に吸着して二次転写域を通過しても、二次転写部材５から記録材Ｓの先端が浮き上がることから、記録材Ｓは、中間転写体２に貼り付くことなく、二次転写部材５から安定的に剥離される点で好ましい。
また、画像形成装置の好ましい態様としては、記録材Ｓの搬送経路のうち、二次転写域を通過した部位に設けられ、記録材Ｓの帯電状態が補正可能な帯電補正手段１５を備えている態様が挙げられる。
このように、帯電補正手段１５（例えば除電針、除電プレート等）を付加することで、二次転写域を通過した記録材Ｓの帯電量を補正することが可能になり、例えば記録材Ｓの帯電量を除電するこが可能である。
また、この種の帯電補正手段１５を付加した態様の好ましい例としては、制御装置１２は、判別装置１１により記録材Ｓが予め決められた坪量又は厚さ以下の種類であると判別されたときに、二次転写部材５の位置移動量に応じて帯電補正手段１５の補正量を設定するものが挙げられる。
薄い記録材Ｓは、二次転写部材５の位置移動量によって排出姿勢が変化することから、この記録材Ｓの排出姿勢を的確に調整するには、例えば二次転写部材５の移動量に応じて帯電補正手段１５による帯電補正量（例えば除電量）を決定するようにすればよい。
【００２３】
以下、添付図面に示す実施の形態に基づいて本発明をより詳細に説明する。
◎実施の形態１
＜画像形成装置の全体構成＞
図３は実施の形態１に係る画像形成装置の全体構成を示す説明図である。
同図において、画像形成装置２０は、所謂タンデム型の中間転写方式の態様であり、複数の色成分（本例ではイエロ（Ｙ）、マゼンタ（Ｍ）、シアン（Ｃ）、ブラック（Ｋ））の画像形成部２１（具体的には２１ａ〜２１ｄ）を略水平に沿う横方向に配列し、各画像形成部２１に対向した部位にはベルト状の中間転写体２２を循環移動可能に配設する一方、各画像形成部２１に対応した中間転写体２２の裏面には、各画像形成部２１で形成された各色成分トナーによる画像が中間転写体２２に一次転写させられる一次転写装置２３（具体的には２３ａ〜２３ｄ）を配設すると共に、中間転写体２２の移動方向に対し最下流に位置する画像形成部２１（本例では２１ｄ）よりも下流側に位置する中間転写体２２の一部には、当該中間転写体２２に一次転写された各色成分画像が記録材としての用紙Ｓに二次転写（一括転写）させられる二次転写装置２５を配設したものである。
更に、本例の画像形成装置２０は、二次転写装置２５にて一括転写された画像を用紙Ｓ上に定着させる定着装置２７と、二次転写装置２５による転写部位及び定着装置２７による定着部位に用紙Ｓを搬送する用紙搬送系２８と、を備えている。
【００２４】
本実施の形態において、各画像形成部２１（２１ａ〜２１ｄ）は、ドラム状の感光体３１を有し、各感光体３１の周囲には、感光体３１が帯電されるコロトロンなどの帯電装置３２、帯電された感光体３１上に静電潜像が書込まれるレーザ走査装置などの露光装置３３、感光体３１上に書込まれた静電潜像が各色成分トナーにて現像される現像装置３４及び感光体３１上の残留トナーが除去される清掃装置３５を夫々配設したものである。
また、中間転写体２２は、例えばゴム又は樹脂材料によってベルト状に構成され、複数（本実施の形態では３つ）の張架ロール４１〜４３に掛け渡されており、張架ロール４１が駆動モータ（図示せず）にて駆動される駆動ロールとして用いられると共に、張架ロール４２，４３が従動ロールとして用いられ、また、張架ロール４２は張架ロール４１と共に各感光体３１の一次転写面を形成するものであり、更に、張架ロール４３が二次転写装置２５の対向ロールとして用いられる。そしてまた、張架ロール４１に対向した中間転写体２２の表面側には、二次転写後の中間転写体２２上の残留トナーを除去するための清掃装置４８が設けられている。
【００２５】
更に、本実施の形態において、一次転写装置２３は、各感光体３１に対応して中間転写体２２の裏面に接触配置される一次転写ロール５１を有しており、各感光体３１に対して一次転写ロール５１を予め決められた荷重をもって押圧することで、感光体３１と中間転写体２２との間に一次転写域として作用する接触域（ニップ域）を形成し、更に、一次転写ロール５１に予め決められた一次転写電流を供給することで、前述した一次転写域ＴＰ１に一次転写電界を作用させ、中間転写体２２に対し感光体３１上の各色成分トナーによる画像を転写させるものである。
更にまた、二次転写装置２５は、図３及び図７に示すように、張架ロール４３に対応する中間転写体２２の表面に接触配置される二次転写ロール７１を有し、この二次転写ロール７１と中間転写体２２との間に二次転写域として作用する接触域（ニップ域）を形成する一方、二次転写ロール７１の対向ロール７２としての張架ロール４３の表面には給電ロール７３を接触配置し、この給電ロール７３に予め決められた二次転写電圧Ｖｔを印加すると共に二次転写ロール７１を接地することで、二次転写域に二次転写電界を作用させ、用紙Ｓに対し中間転写体２２上の各色成分トナーによる画像を転写させるものである。
【００２６】
更に、二次転写域に対して中間転写体２２の搬送方向上流側で、張架ロール４２，４３間に位置する部分の裏面には面出しロール１３０が接地した状態で配設されており、中間転写体２２の面方向に交差する方向（本例では中間転写体２２の厚さ方向）に沿って進退移動し、二次転写域に至る中間転写体２２の搬送軌跡面を変化可能に形成するようになっている。
また、二次転写域に対して中間転写体２２の搬送方向下流側で、張架ロール４１，４３間に位置する部分の裏面には張力調整ロール１５０が接地した状態で配設されており、主として面出しロール１３０の進退移動に伴って中間転写体２２が緩み変形すると、この緩みを相殺するように中間転写体２２の張力を調整するようになっている。
【００２７】
更に、定着装置２７は、例えば内部に加熱源を有する加熱定着ロール８１と、この加熱定着ロール８１に圧接配置されて当該加熱定着ロール８１に追従して回転する加圧定着ロール８２と、を備え、両定着ロール８１，８２間にて用紙Ｓ上の未定着画像を加熱・加圧定着するようになっている。
また、用紙搬送系２８は、用紙収容容器９１に収容された用紙Ｓをフィードロール９２にて用紙搬送路に繰り出し、用紙搬送路には適宜数の搬送ロール９３を配設すると共に、二次転写域の直前に位置する用紙搬送路には用紙Ｓが位置決めされた後に所定のタイミングで二次転写域に供給される位置決めロール９４を配設し、更に、用紙搬送路の二次転写域の下流側には定着装置２７に向けて用紙Ｓが搬送可能な搬送ベルト９５を配設したものである。
本例では、位置決めロール９４は、用紙Ｓの先端に所定のカール（本例では下向きに凸となるカール）が付与されるカール調整器、及び、事前に用紙Ｓが帯電される転写前帯電器を兼用しており、用紙Ｓの裏面を負帯電させるように下側ロールを接地、上側ロールには正極性の帯電電圧が印加され、用紙を所定の押圧力で挟持搬送するようになっている。
本例では、用紙Ｓに対する事前処理として、薄い用紙Ｓ（薄紙）が中間転写体２２に貼り付くことを抑制するために二次転写ロール７１側に静電的に貼り付くように対処したものである。つまり、二次転写ロール７１の表面が正帯電であることから、用紙Ｓ裏面を事前に負極性に帯電するようにしたものである。
しかし、二次転写ロール７１に用紙Ｓを貼り付かせるだけでは、用紙Ｓが二次転写ロール７１から離れずに二次転写ロール７１に巻き付いてしまうため、事前処理としては、用紙Ｓの先端に所定のカールを形成することで用紙Ｓの先端が二次転写ロール７１に張り付かないようになっている。このため、本例では、位置決めロール９４としてカール調整及び帯電調整機能を備えたものが用いられている。尚、位置決めロール９４とは別にカール調整、転写前帯電を実施する手段を設けてもよいことは勿論である。  そして更に、本例では、用紙搬送路のうち二次転写域の直後には用紙Ｓの帯電状態を補正する帯電補正装置９６が設けられており、この帯電補正装置９６としては例えば用紙Ｓの帯電電荷を低減させる除電器９７が代表的であり、この除電器９７としては例えばノコギリ刃状の除電針に除電電圧を印加する態様が用いられる。
ここで、二次転写域から排出された用紙が二次転写ロール７１側であれば、除電器９７による除電作用を与えて用紙の帯電状態を調整し、中間転写体２２への貼り付きを抑制することは可能である。但し、用紙Ｓが二次転写ロール７１に巻き付いて排出された場合には、除電器９７による除電作用を与えることができず、用紙の剥離（分離）が困難になってしまうことから、用紙Ｓの排出方向は適正に調整されることが必要である。
尚、定着装置２７を通過した用紙Ｓは例えば図示外の排出ロールを介して図示外の用紙排出容器に排出されるようになっている。
【００２８】
＜画像形成装置の駆動制御系＞
図４は実施の形態１に係る画像形成装置の駆動制御系を示す。
同図において、符号１００は画像形成装置の作像処理を制御する制御装置であり、この制御装置１００は、ＣＰＵ、ＲＯＭ、ＲＡＭ及び入出力インタフェース等を含むマイクロコンピュータからなり、入出力インタフェースを介して図示外のスタートスイッチや作像モードを選択するためのスイッチである作像モードスイッチ等のスイッチ信号や、各種センサ信号や、用紙が予め決められた坪量又は厚さ以下の種類（所謂薄紙、厚紙）であるか否かを判別する用紙判別信号等の各種入力信号を取込み、ＲＯＭに予め格納されている作像制御処理プログラム（図１１参照）をＣＰＵで実行し、駆動制御対象に対する制御信号を夫々生成した後、各駆動制御対象に制御信号を送出するようになっている。
ここで、図４中、‘用紙判別信号’は用紙Ｓの種類を判別可能な判別装置１０１からの信号であればよく、この種の判別装置１０１としては、ユーザが用紙Ｓの種類を指定することが可能な指定スイッチや、あるいは、用紙Ｓの坪量又は厚さを検知可能な用紙種検知器が用いられる。
また、図４中、駆動制御対象としては、各画像形成部２１（２１ａ〜２１ｄ）の感光体３１を駆動する感光体駆動系１０２、例えば駆動ロールとしての張架ロール４１を回転駆動することで中間転写体２２を循環駆動する中間転写体駆動系１０３、各画像形成部２１（２１ａ〜２１ｄ）の感光体３１に対して中間転写体２２を接離するリトラクト機構１０４、各画像形成部２１に対応する一次転写装置２３の一次転写ロール５１に対して一次転写電流を供給する電流供給装置１０６、二次転写装置２５の給電ロール７３に対し二次転写電圧を印加する電圧印加装置１０７、中間転写体２２の搬送軌跡に沿って二次転写ロール７１を移動可能に支持する支持機構１０８、面出しロール１３０を進退移動させる進退機構１０９などが挙げられる。
【００２９】
＜リトラクト機構＞
図５（ａ）（ｂ）は本実施の形態で用いられるリトラクト機構１０４の詳細を示す。
同図において、リトラクト機構１０４は、複数の画像形成部２１のうち、中間転写体２２の移動方向の最下流に位置する画像形成部２１ｄ以外の画像形成部２１ａ〜２１ｃの各感光体３１に対して中間転写体２２を接離するものであり、本例では、各画像形成部２１ａ〜２１ｃの感光体３１から中間転写体２２を後退させたときに、各画像形成部２１ａ〜２１ｃに対応した一次転写装置２３の一次転写ロール５１を中間転写体２２と非接触になる位置まで後退させるようになっている。
つまり、リトラクト機構１０４は、複数の画像形成部２１（本例では２１ａ〜２１ｃ）の各感光体３１に対して中間転写体２２を接離する中間転写体接離機構１１０と、この中間転写体接離機構１１０に連動して各画像形成部２１（２１ａ〜２１ｃ）に対応する一次転写装置２３（本例では２３ａ〜２３ｃ）を中間転写体２２に対して接離する連動機構１２０と、有している。
ここで、中間転写体接離機構１１０は、画像形成部２１ｃ，２１ｄ間に位置する中間転写体２２の裏面に中間転写体２２の移動軌跡位置として予め固定的に設定された固定位置決めロール１１１を配設する一方、中間転写体２２の移動方向に対し最上流に位置する画像形成部２１ａよりも上流側に位置する中間転写体２２の裏面には中間転写体２２の移動規制位置として変化可能に設定された可動位置決めロール１１２を配設し、この可動位置決めロール１１２を揺動支点１１４周りに揺動可能な揺動台１１３で支持するようにしたものである。
そして、中間転写体接離機構１１０の駆動系は、図５（ｂ）に示すように、制御装置１００からの制御信号に基づいて駆動が開始する駆動モータ１１５を有し、この駆動モータ１１５からの駆動力をギア、ベルトなどからなる駆動伝達機構１１６を介して揺動台１１３の揺動支点１１４に伝達するようになっている。
また、連動機構１２０は、中間転写体２２内で揺動支点１２２を中心に揺動可能な揺動板１２１を有し、画像形成部２１ｃ，２１ｄの中間位置に対応した部位に前述した揺動支点１２２を設定し、揺動板１２１上に一次転写装置２３ａ〜２３ｃを固定的に設置すると共に、付勢ばね１２３によって揺動板１２１を中間転写体２２側に向けて付勢し、更に、中間転写体接離機構１１０の揺動台１１３の揺動支点１１４には当該揺動台１１３の揺動に伴って回転する回転部材１２４を設け、この回転部材１２４の揺動支点１１４から離れた部位に引っ掛け片１２５を設け、揺動板１２１の揺動自由端に対して引っ掛け片１２５を引っ掛けるようにしたものである。
【００３０】
このようなリトラクト機構１０４において、例えば全ての画像形成部２１（２１ａ〜２１ｄ）の感光体３１に対して中間転写体２２を接触配置するという全部接触形態にする場合には、図５（ｂ）に示すように、中間転写体接離機構１１０の可動位置決めロール１１２を実線で示す進出位置に進出させるようにすればよい。
このとき、画像形成部２１ａ〜２１ｃに対応する中間転写体２２は、固定位置決めロール１１１と可動位置決めロール１１２とによって位置決めされ、各画像形成部２１（２１ａ〜２１ｃ）の感光体３１と中間転写体２２とは接触配置され、各画像形成部２１（２１ａ〜２１ｃ）に対応する一次転写装置２３（２３ａ〜２３ｃ）の一次転写ロール５１も中間転写体２２に接触配置される。
また、最下流の画像形成部２１ｄ以外の画像形成部２１（２１ａ〜２１ｃ）の感光体３１に対して中間転写体２２を非接触配置するという一部接触形態にする場合には、図５（ｂ）に示すように、中間転写体接離機構１１０の可動位置決めロール１１２を二点鎖線で示す後退位置に後退させるようにすればよい。
このとき、各画像形成部２１（２１ａ〜２１ｃ）に対応する中間転写体２２は固定位置決めロール１１１と張架ロール４１とによって位置決めされ、各画像形成部２１（２１ａ〜２１ｃ）の各感光体３１と中間転写体２２とは非接触配置され、中間転写体２２と後退位置に後退した可動位置決めロール１１２とは非接触配置される。更に、図５（ｂ）に示すように、可動位置決めロール１１２が後退位置に後退したことに伴って、連動機構１２０の回転部材１２４が二点鎖線で示す位置に移動し、引っ掛け片１２５を介して揺動支点１２２周りに揺動板１２１を揺動させて下方に押し下げることから、揺動板１２１に設置されている各一次転写装置２３（本例では２３ａ〜２３ｃ）は中間転写体２２に対して非接触配置される。
【００３１】
＜張架ロールの支持構造＞
本例では、中間転写体２２の張架ロール４２の支持構造は適宜選定して差し支えなく、例えば図６（ａ）〜（ｃ）に示すような支持構造が採用されている。
図６（ａ）に示す支持構造は、張架ロール４２を張力付与ロールとして兼用したもので、張架ロール４２の両端を付勢ばね４５にて付勢することで中間転写体２２に対して所定の張力を付与すると共に、ステアリング機構４６によって張架ロール４２の一端側を支点として揺動可能に支持し、中間転写体２２の蛇行を補正するようにしたものである。
尚、符号４７は張架ロール４２を回転可能に支承する軸受部材である。
また、図６（ｂ）に示す支持構造は、ステアリング機構４６を組み込まずに、張架ロール４２の両端を付勢ばね４５にて付勢することで張架ロール４２を張力付与ロールとして兼用したものである。
尚、本例では、例えば中間転写体２２の張架ロール４２の両端に中間転写体２２の搬送経路が案内可能な案内部材を配設し、この案内部材で中間転写体２２の蛇行を防止するようにすればよい。
更に、図６（ｃ）に示す支持構造は、張力付与ロールとして兼用せずに、ステアリング機構４６によって張架ロール４２の一端側を支点として揺動可能に支持し、中間転写体２２の蛇行を補正するようにしたものである。
【００３２】
＜二次転写装置の構成例＞
本実施の形態において、二次転写装置２５は、図７（ａ）（ｂ）に示すように、二次転写ロール７１が対向ロール７２（張架ロール４３と兼用）との間に二次転写域ｎとしての接触域（ニップ域）を有している。
この二次転写域ｎとしての接触域の形状は適宜選定して差し支えないが、本例では、二次転写ロール７１の抵抗（体積抵抗）をＲｔ、硬度をＨｔ、径寸法をｄｔ、対向ロール７２の抵抗（体積抵抗）をＲｂ、硬度をＨｂ、径寸法をｄｂとすると、以下のような関係を満たすように選定されている。
Ｒｔ＞Ｒｂ
Ｈｔ＞Ｈｂ
ｄｔ＞ｄｂ
ここで、二次転写ロール７１及び対向ロール７２の両者の径寸法、硬度関係からすると、二次転写域ｎとしての接触域（ニップ部）の形状は対向ロール７２側に凸状になっていることから、この二次転写域ｎを通過した用紙Ｓは、図７（ｂ）に実線で示すように、中間転写体２２から離れる方向、つまり二次転写ロール７１側に寄って排出される。
更に、本例では、対向ロール７２側の抵抗Ｒｂを二次転写ロール７１の抵抗Ｒｔよりも低く設定することで、二次転写域ｎの出口直後の用紙搬送路の領域Ｕでは、対向ロール７２と用紙Ｓとの間で放電が促進され、用紙Ｓを僅かに負帯電させることから、二次転写域ｎを通過した用紙Ｓ’は、図７（ｂ）に一点鎖線で示すように、対向ロール７２に接触する中間転写体２２側に静電的に引っ張られ、二次転写ロール７１と対向ロール７２との中心基準線Ｏに略直交する方向に延びる基準線Ｌに沿った位置にくるように先端がカール部Ｓａとして変形した状態で排出される。
【００３３】
＜二次転写ロールの支持機構＞
本実施の形態において、二次転写ロール７１の支持機構１０８は図８（ａ）に示すように構成されている。
本例において、支持機構１０８は、中間転写体２２の搬送方向上流側に二次転写ロール７１を二次転写域の上流側に接触した状態で移動させることを要する。
本例では、支持機構１０８は、二次転写ロール７１の両端に対応して対構成の加圧レバー１７０を配設し、この加圧レバー１７０の基端側には固定支軸１７２に対して予め決められた移動代が確保された長孔１７１を形成すると共に、この長孔１７１に対して固定支軸１７２を相対移動可能に嵌め込み、加圧レバー１７０の自由端側に二次転写ロール７１の両端軸を回転可能に支持し、付勢ばね１７３にて加圧レバー１７０の基端側を下方に向けて付勢し、加圧ばね１７４にて加圧レバー１７０の自由端側を加圧することで対向ロール７２側に二次転写ロール７１を押し付け、更に、加圧レバー１７０の基端側には長孔１７１の延びる方向に沿って駆動ロッド１７６が進退動するアクチュエータ１７５を連結し、アクチュエータ１７５の駆動ロッド１７６を進出させたときには、付勢ばね１７３の付勢力にて加圧レバー１７０の長孔１７１の上縁に固定支軸１７２を突き当てた位置に加圧レバー１７０の位置を設定し、一方、アクチュエータ１７５の駆動ロッド１７６を付勢ばね１７３の付勢力に抗して引き込むときには、加圧レバー１７０の長孔１７１の下縁に固定支軸１７２を突き当てた位置に加圧レバー１７０の位置を移動設定するものである。
本例では、アクチュエータ１７５が進出移動したときには、二次転写ロール７１は予め決められた初期位置（図８（ｂ）に示す実線位置：Ａ位置）に設定されると共に、アクチュエータ１７５が後退（引き込み）移動したときには、二次転写ロール７１はＡ位置より中間転写体２２の搬送方向上流側に引き寄せられた位置（図８（ｂ）に示す二点鎖線位置：Ｂ位置）に設定されるようになっている。
また、本実施の形態では、加圧レバー１７０の自由端側に取付片１７７が一体的に突出形成されており、この取付片１７７に帯電補正装置９６としての除電器９７が固定されている。このため、加圧レバー１７０の位置変化に伴って二次転写ロール７１の位置が変化したとしても、二次転写ロール７１の位置変化に伴って除電器９７（帯電補正装置９６）も相対的に位置が変化することから、二次転写ロール７１の位置が変化したとしても、二次転写ロール７１と除電器９７との相対位置関係は一定に保たれるようになっている。
尚、図８（ａ）中、符号１７８は二次転写ロール７１及び除電器９７を合わせて収容する転写容器である。
【００３４】
＜面出しロールの進退機構＞
面出しロール１３０の進退機構１０９は例えば図９（ａ）に示すように構成されている。
同図において、面出しロール１３０はその両端軸部を軸受部材１３１にて回転可能に支持されており、進退機構１０９は、面出しロール１３０の両端に位置する軸受部材１３１を付勢ばね１３２にて付勢することで中間転写体２２の裏面に対して面出しロール１３０を圧接配置し、面出しロール１３０の軸受部材１３１に対し中心位置が中心から偏って配置される偏心カム１３３を接触配置し、この偏心カム１３３を駆動モータ１３４で適宜回転させることで、面出しロール１３０の配設位置を進退可能に変化させるものである。
ここで、偏心カム１３３は、図９（ａ）に示すように、面出しロール１３０と偏心カム１３３との中心間距離ｈの変化に伴って面出しロール１３０の配設位置を変化させるものであり、面出しロール１３０は、図９（ｂ）に示すように、面出しロール１３０と偏心カム１３３との中心間距離ｈが最大距離ｈ１になる位置と、図９（ｃ）に示すように、面出しロール１３０と偏心カム１３３との中心間距離ｈが最小距離ｈ２になる位置との間で進退移動するものである。
尚、面出しロール１３０の進退移動軌跡を安定させるには例えば図示外の案内レールによって面出しロール１３０の進退移動経路を位置拘束するようにすればよい。
従って、本例では、面出しロール１３０は、偏心カム１３３の角度位置を調整することで、前述した進退移動範囲内の任意の位置に移動設定可能であり、例えば面出しロール１３０と偏心カム１３３との中心間距離ｈを適宜選定することで、二次転写ロール７１の初期位置（Ａ位置）に対応した面出しロール１３０の初期位置（Ｃ位置）を、また、二次転写ロール７１の移動位置（Ｂ）位置に対応した面出しロール１３０の移動位置（Ｄ位置）を予め選定しておくようにすればよい。
【００３５】
＜張力調整ロールの支持構造＞
張力調整ロール１５０の支持構造を図１０（ａ）に示す。
同図において、張力調整ロール１５０は、中間転写体２２の張架ロール４１，４３間を結ぶ接線基準線Ｊよりも少なくとも一部が外方に張り出して配設されており、張力調整ロール１５０の両端軸部は案内レール１５１に沿って滑り移動可能に支持されると共に、付勢ばね１５２によって中間転写体２２の裏面に押し付けられている。
特に、中間転写体２２のうち張架ロール４３と張力調整ロール１５０との間に掛け渡される部分は、水平基準線Ｌｈに対して角度θで配置されている。この角度θは二次転写域ｎを通過した用紙Ｓが中間転写体２２に貼り付かない程度に選定されていればよく、例えば１０°を超える程度、好ましくは２０°以上で選定されていればよい。
更に、本例では、案内レール１５１は、張架ロール４３と張力調整ロール１５０との間の中間転写体２２の移動軌跡と略平行に配置されており、また、張力調整ロール１５０を付勢する付勢ばね１５２のばね定数は、張力付与ロールを兼用した張架ロール４２に付加された付勢ばね４５のばね定数よりも大きく設定されている。
このため、例えば面出しロール１３０が初期位置（Ｃ位置）から移動位置（Ｄ位置）に移動した場合には、中間転写体２２は緩むことになるが、本例では、張力調整ロール１５０は、図１０（ａ）（ｂ）に二点鎖線から実線で示すように、付勢ばね１５２に付勢されて案内レール１５１に沿って移動し、中間転写体２２の緩みを伸ばすと共に、中間転写体２２の張力を予め決められた所定レベルに調整するものである。
このとき、張力調整ロール１５０が移動しても、二次転写域ｎ直後の中間転写体２２の傾斜姿勢は、張力調整ロール１５０の移動前と変わらず、水平基準線Ｌｈに対し角度θのまま保たれる。このため、張力調整ロール１５０の移動に伴って、二次転写域ｎを通過した用紙Ｓが中間転写体２２に対して貼り付きやすくなる懸念はない。
【００３６】
＜画像形成装置の作動＞
次に、本実施の形態に係る画像形成装置の作動について説明する。
図１１は本実施の形態に係る画像形成装置による作像制御処理を示すフローチャートである。
今、ユーザが図示外の作像モードスイッチを操作することでＦＣモード（フルカラーモード）又は単Ｋモード（単色Ｋモード）を指定することが可能である。
−作像モード設定−
今、作像モードとしてＦＣモードを指定すると、制御装置１００は、作像モードがＦＣモードであると判断し、ＦＣモードプロセスを選択する。この状態において、制御装置１００は、図４及び図１２（ａ）に示すように、リトラクト機構１０４により、全ての画像形成部２１（２１ａ〜２１ｄ）の感光体３１に対して中間転写体２２を接触配置するという全部接触形態を選択する。
一方、作像モードとして単Ｋモードを指定すると、制御装置１００は、作像モードが単Ｋモードであると判断し、単Ｋプロセスを選択する。この状態において、制御装置１００は、図４及び図１２（ｂ）に示すように、リトラクト機構１０４により、最下流の画像形成部２１ｄ以外の画像形成部２１（２１ａ〜２１ｃ）の感光体３１に対して中間転写体２２を非接触配置するという一部接触形態を選択する。
【００３７】
今、単Ｋモードプロセスが選択された場合において、最下流の画像形成部２１ｄとその下流側に位置する張架ロール４２との関係に着目してみると、以下のようである。
つまり、単Ｋモードの場合には、リトラクト機構１０４の作用によって、最下流の画像形成部２１ｄ以外の画像形成部２１（２１ａ〜２１ｃ）の各感光体３１が中間転写体２２から非接触配置され、かつ、一次転写ロール５１も中間転写体２２の裏面に対して非接触配置される。このため、中間転写体２２の張力が低減して緩むことになるが、張架ロール４２が張力付与ロールを兼用している態様では、張架ロール４２が中間転写体２２の緩み分を吸収する。このとき、張架ロール４２の変位量は微小で約１ｍｍ以下であるから、最下流の画像形成部２１ｄ（具体的には感光体３１と一次転写ロール５１との間の一次転写域）と張架ロール４２との間の中間転写体２２のスパンｍが長くなることはない。
ここで、単Ｋモードを選択したときの中間転写体２２の緩み分を張架ロール４２で吸収し、中間転写体２２に張力Ｔを付与する態様を模式的に示すと、図１２（ｃ）に示すように、最下流の画像形成部２１ｄと張架ロール４２との間の中間転写体２２のスパンｍが短い場合（ｍ＝ｍ１）に相当し、仮に、中間転写体２２に振動等で所定の押圧力Ｐが作用したとしても、両者間での中間転写体２２の撓み量はそれほど大きな値には至らない。
これに対し、例えば単Ｋモードを選択したときに、面出しロール１３０の進退量に伴う中間転写体２２の緩みを、仮に張架ロール４２で吸収し、中間転写体２２に張力Ｔを付与する場合には、張架ロール４２の移動量としては大凡１０ｍｍ程度要する。これを張架ロール４２で吸収する態様を模式的に示すと、図１２（ｄ）に示すように、最下流の画像形成部２１ｄと張架ロール４２との間の中間転写体２２のスパンｍが長い場合（ｍ＝ｍ２＞ｍ１）に相当し、仮に、中間転写体２２に振動等で所定の押圧力Ｐが作用したとすると、両者間での中間転写体２２の撓み量は大きくなることから、画像形成部２１ｄの一次転写域の出口付近では、中間転写体２２の振動による撓み量が大きくなり、その分、転写電界による放電により中間転写体２２上に転写された画像が乱れる懸念がある。
このように、仮に、張架ロール４２が張力付与ロールを兼用しているとしても、この張架ロール４２にて面出しロール１３０の進退に伴う中間転写体２２の緩み分を吸収する対処は実質的には困難である。
【００３８】
上述したように、作像モードが設定されると、制御装置１００は、図４の判別装置１０４からの情報に基づいて用紙種を判別する。
このとき、用紙Ｓが予め決められた坪量又は厚さ以下の種類であるときには‘薄紙’と、それ以外については‘厚紙’と判別する。
そして、用紙Ｓが‘厚紙’であると判別された場合には、制御装置１００は、図１３に二点鎖線で示すように、二次転写ロール７１を予め決められたＡ位置に、面出しロール１３０を予め決められたＣ位置に設定し、更に、除電器９７の除電電圧を予め決められたＶｄ１に設定する。
この状態において、張力調整ロール１５０は予め決められた付勢ばね１５２で付勢されていることから、面出しロール１３０の位置に伴って図１３に二点鎖線で示すＥ位置にて中間転写体２２の裏面に圧接配置されている。
一方、用紙Ｓが‘薄紙’であると判別された場合には、制御装置１００は、図１３に実線で示すように、二次転写ロール７１を予め決められたＢ位置（Ａ位置よりも中間転写体２２の搬送方向上流側に設定）に、面出しロール１３０を予め決められたＤ位置（Ｃ位置から所定量移動した位置）に設定し、更に、除電器９７の除電電圧を予め決められたＶｄ２（本例では｜Ｖｄ１｜＞｜Ｖｄ２｜）に設定する。
この状態において、面出しロール１３０がＣ位置からＤ位置へと移動したことで中間転写体２２の張力が緩むことになるが、本例では、張力調整ロール１５０は予め決められた付勢ばね１５２で付勢されていることから、面出しロール１３０の位置の変化に伴って図１３に実線で示すＦ位置まで移動し、中間転写体２２の張力の緩みを調整する。
そして、一連の作像処理が開始され、二次転写域では、二次転写ロール７１に二次転写電圧が印加されると共に、除電器９７に除電電圧が印加され、各作像モードによる画像形成部２１で作製された画像が一次転写域にて中間転写体２２に一次転写された後に、二次転写域にて中間転写体２２から用紙Ｓに転写される。
【００３９】
ここで、二次転写域を通過する用紙Ｓの挙動について説明する。
−厚紙−
用紙Ｓが厚紙の場合には、二次転写ロール７１と対向ロール７２（張架ロール４３）との中心基準線Ｏ１に対して略直交する基準線Ｌ１は、図１３に二点鎖線で示すように設定され、腰の強い厚紙からなる用紙Ｓは、二次転写電界を受けながら二次転写域を通過し、除電器９７による除電作用を受けて基準線Ｌ１に沿って排出される。
このとき、二次転写域の入口側に至る中間転写体２２の突入姿勢は二次転写ロール７１との間に十分な角度をもって予め調整されており、また、二次転写域の出口側に位置する中間転写体２２の傾斜姿勢も水平基準線Ｌｈから十分な角度θをもって配置されていることから、二次転写域の前後で転写電界による放電によって画像乱れが生ずる懸念はない。
【００４０】
−薄紙−
これに対し、用紙Ｓが薄紙の場合には、二次転写ロール７１の配設位置がＡ位置からＢ位置に移動することで、二次転写ロール７１と対向ロール７２とのを結ぶ中心基準線Ｏ２がＯ１に比べて角度βだけ図中右寄りに傾斜し、その分、中心基準線Ｏ２に略直交する基準線Ｌ２はＬ１に比べて中間転写体２２から離れた方向に傾斜配置される。
このため、腰の弱い薄紙からなる用紙Ｓは、二次転写域にて転写電界の作用を受けながら二次転写域を通過した後、除電器９７による除電作用を受けながら基準線Ｌ２方向に沿って排出される。
このとき、薄紙からなる用紙Ｓの先端部分は事前処理によって下側に凸形状になるようにカールすることから、薄紙からなる用紙Ｓは中間転写体２２には貼り付かないように中間転写体２２からは十分離れて排出され、かつ、二次転写ロール７１に巻き付かないような先端カールを有して排出される。
更に、本例では、除電器９７に印加する除電電圧Ｖｄ２を厚紙の場合のＶｄ１に比べて弱く設定していることから、薄紙である用紙Ｓに対する除電作用が厚紙よりも抑えられている。
また、面出しロール１３０はＣ位置からＤ位置に移動するため、二次転写域の入口に至る中間転写体２２の突入姿勢は水平基準線Ｌｈに対して更に傾斜勾配を大きくしたものに設定される。このため、二次転写域の入口における中間転写体２２と二次転写ロール７１との間に形成される角度が不必要に狭まることはなく、二次転写域の入口で転写電界による放電が起こり、中間転写体２２上の画像が乱れる懸念は少ない。
更に、張力調整ロール１５０は、面出しロール１３０の移動に伴ってＥ位置からＦ位置へと移動するが、二次転写域の出口側の中間転写体２２の傾斜姿勢は変化せずに一定に保たれることから、二次転写域を通過した薄紙からなる用紙Ｓが中間転写体２２に貼り付き易くなるという懸念はない。
このように、用紙Ｓの種類が‘厚紙’又は‘薄紙’に応じて二次転写ロール７１の位置、面出しロール１３０の位置を調整し、更には、除電器９７による用紙Ｓに対する除電作用を調整するようにしたことから、用紙Ｓは二次転写域を通過した後、中間転写体２２に貼り付くことなく、また、二次転写ロール７１に巻き付くことなく、二次転写域から剥離して排出される。
このような動作は一連の作像ジョブにおける次用紙がなくなるまで続けられる。
【００４１】
本実施の形態では、張力調整ロール１５０は案内レール１５１に沿って移動軌跡を案内する方式が採用されているが、これに限られるものではなく、例えば図１４（ａ）（ｂ）に示すような変形例１，２が挙げられる。
◎変形例１
図１４（ａ）に示す態様は、実施の形態１と略同様に、中間転写体２２の張架ロール４１，４３間を結ぶ接線基準線Ｊよりも少なくとも一部が外方に張り出して張力調整ロール１５０を配設したものであるが、実施の形態１と異なり、二次転写域から十分に離れた位置、例えば張架ロール４１寄りの位置（張架ロール４３と張力調整ロール１５０との中心間の接線基準線Ｊに沿った距離をｓ１、張力調整ロール１５０と張架ロール４１との中心間の接線基準線Ｊに沿った距離をｓ２とした場合にｓ１＞ｓ２を満たす位置）に張力調整ロール１５０を配設し、中間転写体２２の面方向に交差する方向に張力調整ロール１５０を、図示外の案内レールを用いて進退移動可能に配置し、かつ、図示外の付勢ばねにて中間転写体２２の裏面に付勢するようにしたものである。
本態様によれば、例えば図示外の面出しロールが後退移動すると、張力調整ロール１５０は二点鎖線位置から実線位置へと移動するので、その分、二次転写域の出口側に位置する中間転写体２２の傾斜姿勢は、水平基準線Ｌｈに対し角度θからθ’（θ＞θ’）に変化してしまうが、二次転写域から十分に離れた位置に張力調整ロール１５０を配設しておけば、角度変化量Δθ（θ−θ’）は十分に小さく抑えられ、用紙Ｓが中間転写体２２の姿勢変化に伴って貼り付き易くなるという懸念は少ない。
【００４２】
◎変形例２
図１４（ｂ）に示す態様は、図１４（ａ）と略同様に、中間転写体２２の張架ロール４１，４３間に中間転写体２２の面方向に交差する方向に対して進退移動可能な張力調整ロール１５０を配設したものであるが、図１４（ａ）と異なり、張架ロール４３と張力調整ロール１５０との間の中間転写体２２の裏面に回転可能な位置出しロール１５５を固定的に設け、この位置出しロール１５５によって二次転写域の出口側に位置する中間転写体２２の傾斜姿勢を一定に保つようにしたものである。
本態様によれば、図示外の面出しロールが後退移動すると、張力調整ロール１５０は二点鎖線位置から実線位置へと移動して中間転写体２２の張力の緩みを調整するが、位置出しロール１５５の存在によって二次転写域の出口側に位置する中間転写体２２の傾斜姿勢は一定に保たれる。
尚、本態様では、張力調整ロール１５０の配設位置は張架ロール４１寄りであることは必ずしも必要ではない。
【００４３】
◎実施の形態２
図１５は実施の形態２に係る画像形成装置の要部を示す。
同図において、画像形成装置の基本的構成は、実施の形態１と略同様に、二次転写ロール７１の支持機構（図示せず）、面出しロール１３０及び張力調整ロール１５０を備えているが、張力調整ロール１５０の移動方式が実施の形態１と異なる。
尚、実施の形態１と同様な構成要素については実施の形態１と同様な符号を付してここではその詳細な説明を省略する。
本例において、張力調整ロール１５０の移動方式は、例えばアクチュエータ１５６の駆動ロッド１５７の先端に張力調整ロール１５０の軸受部材１５８を連結し、駆動ロッド１５７を適宜進退させることで張力調整ロール１５０を進退可能に移動させるものである。
尚、張力調整ロール１５０は、実施の形態１と略同様に、中間転写体２２の張架ロール４１，４３間を結ぶ接線基準線Ｊよりも少なくとも一部が外方に張り出して配設され、中間転写体２２の搬送方向に沿って移動するようになっている。
そして、本例では、アクチュエータ１５６は、図示外の制御装置によって駆動制御されており、面出しロール１３０の位置（例えばＣ位置、Ｄ位置）に応じて中間転写体２２の張力の緩みを調整するように予め決められた位置（例えばＥ位置、Ｆ位置）に張力調整ロール１５０を移動配置するようになっている。
従って、本実施の形態では、図１６に示す作像制御処理に従って一連の作像処理が実施される。
つまり、図１６に示すように、図示外の制御装置は、作像モード（ＦＣモード又は単Ｋモード）を設定した後に用紙種を判別し、用紙が‘厚紙’の場合には、図１５に二点鎖線で示すように、二次転写ロール７１をＡ位置に、面出しロール１３０をＣ位置に、張力調整ロール１５０をＥ位置に設定し、一方、用紙が‘薄紙’の場合には、図１５に実線で示すように、二次転写ロール７１をＢ位置に、面出しロール１３０をＤ位置に、張力調整ロール１５０をＦ位置に変更する。
更に、二次転写域では、二次転写ロール７１に二次転写電圧を印加し、除電器９７には設定された除電電圧を印加する。
この状態において、実施の形態１と略同様に一連の作像処理が実施される。
【００４４】
◎実施の形態３
図１７は実施の形態３に係る画像形成装置の要部を示す。
同図において、画像形成装置の基本的構成は、実施の形態１，２と略同様に、二次転写ロール７１の支持機構（図示せず）、面出しロール１３０及び張力調整ロール１５０を備えているが、張力調整ロール１５０の配設位置が実施の形態１，２と異なる。尚、実施の形態１，２と同様な構成要素については実施の形態１，２と同様な符号を付してここではその詳細な説明を省略する。
本例では、張力調整ロール１５０は、中間転写体２２の張架ロール４１，４３間に位置する部分に配設されているが、実施の形態１，２と異なり、中間転写体２２の表面側に接触して配置されている。
この張力調整ロール１５０の支持構造は実施の形態１又は２のいずれの構成でも差し支えなく、本例では、張力調整ロール１５０は張架ロール４３，４１間の接線基準線（図示せず）に対して内側に屈曲するように中間転写体２２を押し付けて配置され、張架ロール４３と張力調整ロールとの間の中間転写体２２の傾斜姿勢は鉛直基準線Ｌｖに対し所定角度α傾斜するようになっており、この位置関係を保つように進退移動するようになっている。
従って、本実施の形態においても、用紙Ｓの種類が‘薄紙’か‘厚紙’かによって、二次転写ロール７１の位置（Ａ，Ｂ）、面出しロール１３０の位置（Ｃ，Ｄ）及び張力調整ロール１５０の位置（Ｅ，Ｆ）が変化し、更に、除電器９７の除電電圧が適宜設定され、二次転写域を通過する用紙Ｓの挙動が調整されるようになっている。
尚、本例では、張力調整ロール１５０の移動経路は張架ロール４３と張力調整ロール１５０との間の中間転写体２２の傾斜姿勢を保つように設定されているが、これに限られるものではなく、中間転写体２２の傾斜姿勢が鉛直基準線Ｌｖ寄りに近づく方向に張力調整ロール１５０を移動させるようにしてもよいことは勿論である。
【００４５】
◎実施の形態４
図１８は実施の形態４に係る画像形成装置の要部を示す。
同図において、画像形成装置の基本的構成は、実施の形態１〜３と略同様に、二次転写ロール７１の支持機構（図示せず）、面出しロール１３０及び張力調整ロール１５０を備えているが、張力調整ロール１５０の配設位置が実施の形態１〜３と異なる。尚、実施の形態１〜３と同様な構成要素については実施の形態１〜３と同様な符号を付してここではその詳細な説明を省略する。
本例では、張力調整ロール１５０は、二次転写域よりも中間転写体２２の搬送方向上流側に設けられており、具体的には、張架ロール４２よりも中間転写体２２の搬送方向下流側に設けられ、かつ、面出しロール１３０よりも中間転写体２２の搬送方向上流側に設けられている。
そして、張力調整ロール１５０は、中間転写体２２の裏面に接触して配置され、中間転写体２２の面方向に交差する方向に沿って進退移動可能に設けられ、図示外の付勢ばねによって中間転写体２２の裏面に予め決められた所定の付勢力で押し付けられている。
尚、符号４９は二次転写域の出口側に位置する中間転写体２２のうち張架ロール４１，４３間に位置する部分を張架する補助張架ロールであり、張架ロール４３と補助張架ロール４９との位置関係により、二次転写域の出口側に位置する中間転写体２２の傾斜姿勢は適宜選定される。
従って、本実施の形態においても、用紙Ｓの種類が‘薄紙’か‘厚紙’かによって、二次転写ロール７１の位置（Ａ，Ｂ）、面出しロール１３０の位置（Ｃ，Ｄ）及び張力調整ロール１５０の位置（Ｅ，Ｆ）が変化し、更に、除電器９７の除電電圧が適宜設定され、二次転写域を通過する用紙Ｓの挙動が調整されるようになっている。
このとき、面出しロール１３０がＣ位置からＤ位置に後退移動すると、中間転写体２２の張力が緩むが、張力調整ロール１５０は中間転写体２２の張力の緩み調整するためにＥ位置からＦ位置へと移動する。この状態において、張力調整ロール１５０は中間転写体２２のうち面出しロール１３０と同じ側に配置されているが、張力調整ロール１５０が進退移動しても、二次転写域の入口に至る中間転写体２２の突入姿勢は変わらないので、二次転写域での用紙Ｓの搬送挙動に悪影響を与えることはない。
尚、本例では、補助張架ロール４９は二次転写域の出口側に位置する中間転写体２２の裏面側に設けられているが、これに限られるものではなく、例えば図１９に示すように、中間転写体２２の表面側に補助張架ロール４９を設け、張架ロール４１，４３間の接線基準線（図示せず）よりも内側に中間転写体２２を屈曲させ、当該中間転写体２２の屈曲部位２２ａを他のデバイスの設置スペースとして利用するようにしてもよい。
【００４６】
◎実施の形態５
図２０は実施の形態５に係る画像形成装置の要部である。
同図において、画像形成装置は、実施の形態１と略同様に、二次転写ロール７１の支持機構１０８、面出しロール１３０及び張力調整ロール１５０を備えているが、実施の形態１と異なり、二次転写ロール７１、面出しロール１３０，張力調整ロール１５０の各位置を初期位置に対し複数段階変化させるようにしたものである。
本例では、制御装置１００は、判別装置１０１からの情報に基づいて用紙Ｓが‘薄紙’か‘厚紙’かを判別し、更に、温度及び湿度を検知可能な環境センサ１８０からの情報に基づいて環境条件が予め決められた‘低温低湿環境（本例では１０℃、ＲＨ１５％以下の環境）’かそれ以外の環境かを判別し、二次転写ロール７１、面出しロール１３０及び張力調整ロール１５０の各位置を例えば図２１に示すテーブルに従って可変制御するものである。
本実施の形態では、制御装置１００は、用紙Ｓの種類が‘薄紙’か‘厚紙’かを判別し、用紙Ｓが‘厚紙’である場合には、図２０に二点鎖線で示すように、二次転写ロール７１をＡ位置、面出しロール１３０をＣ位置に設定すると共に、除電器９７の除電電圧をＶｄ１に設定し、一連の作像処理を実施する。
尚、張力調整ロール１５０は面出しロール１３０の位置（Ｃ位置）に対応したＥ位置に自動的に調整される。
【００４７】
一方、用紙Ｓが‘薄紙’の場合には、環境条件を見て、予め決められた低温低湿環境以外であれば、図２０に一点鎖線で示すように、二次転写ロール７１をＢ１位置、面出しロール１３０をＤ１位置に設定すると共に、除電器９７の除電電圧をＶｄ２に設定し、一連の作像処理を実施する。尚、張力調整ロール１５０は面出しロール１３０の位置（Ｄ１位置）に対応したＦ１位置に自動的に調整される。
また、用紙Ｓが‘薄紙’で、環境条件が低温低湿環境である場合には、図２０に実線で示すように、二次転写ロール７１をＢ２位置、面出しロール１３０をＤ２位置に設定すると共に、除電器９７の除電電圧をＶｄ２に設定し、一連の作像処理を実施する。尚、張力調整ロール１５０は面出しロール１３０の位置（Ｄ２位置）に対応したＦ２位置に自動的に調整される。
ここで、環境条件が低温低湿環境ということは用紙Ｓが高抵抗になり電荷が除去されにくい条件になることから、二次転写ロール７１をＢ２位置（Ｂ１位置よりも中間転写体２２の搬送方向上流寄りの位置）に設定することで、二次転写域からの基準線Ｌ２を更に下方にシフトさせている。また、面出しロール１３０をＤ２位置（Ｄ１位置よりも更に後退した位置）に設定することで、二次転写域の入口に至る中間転写体２２の突入姿勢を水平基準線Ｌｈから更に離すようにしている。
従って、本実施の形態では、二次転写域を通過する用紙Ｓは、‘厚紙’の場合には、二次転写ロール７１と対向ロール７２との中心基準線Ｏ１に略直交する基準線Ｌ１に沿った排出姿勢をもって排出され、また、‘薄紙’で低温低湿環境以外の環境の場合には、二次転写ロール７１と対向ロール７２との中心基準線Ｏ２１に略直交する基準線Ｌ２１に沿った排出姿勢をもって排出され、更に、‘薄紙’で低温低湿環境の場合には、二次転写ロール７１と対向ロール７２との中心基準線Ｏ２２に略直交する基準線Ｌ２２に沿った排出姿勢をもって排出される。
尚、本例では、環境条件を二区分に分けて二次転写ロール７１の位置、面出しロ−ル１３０の位置を初期位置から二段階変化させているが、これに限られるものではなく、環境条件を三以上の複数区分に分けたり、用紙種を更に多区分に分け、これらに基づいて、二次転写ロール７１の位置、面出しロ−ル１３０の位置を初期位置から三段階以上変化させるようにしてもよい。
また、用紙Ｓが‘薄紙’で環境条件が異なった場合に、除電器９７の除電電圧はＶｄ２を設定しているが、必要に応じて、除電器９７の除電電圧を環境条件に応じて変更しても差し支えない。
更に、実施の形態２に示すように、張力調整ロール１５０をアクチュエータ１５６にて移動制御する方式にあっては、制御装置１００にて二次転写ロール７１、面出しロール１３０の位置に加えて、張力調整ロール１５０の位置も制御するようにすればよい。
【実施例】
【００４８】
◎実施例１
本実施例は、実施の形態１に係る画像形成装置を具現化したものにつき、二次転写ロールの位置に応じて用紙の通紙性能を評価したものである。
本実施例における画像形成装置の構成例は以下の通りである。
・プロセス速度：６４０ｍｍ／ｓｅｃ．
・中間転写体：カーボンブラック含有のポリイミド製、体積抵抗率１０ｌｏｇΩ・ｃｍ、
厚さ８０μｍ、周長１３５０ｍｍ、張力６５Ｎ
・二次転写ロール：φ２４ｍｍ、体積抵抗７ｌｏｇΩ、硬度７５°（アスカＣ）
・対向ロール：φ２０ｍｍ、体積抵抗６．５ｌｏｇΩ、硬度６５°（アスカＣ）
・面出しロール：φ１５ｍｍ、接地
・張力調整ロール：φ１５ｍｍ、接地
・二次転写域の入口における二次転写ロールと中間転写体との角度：１３．８°
・電圧印加装置：二次転写ロールを接地し、対向ロールに負極性の二次転写電圧を印加することで転写電界を形成した態様
・張架ロール４２：張力付与ロールを兼用
・除電器：厚紙モードで除電電圧−４ｋＶ、薄紙モードで除電電圧−３ｋＶ
・転写前帯電器（カール調整器を兼ねる）：φ１４ｍｍの位置決めロール対で用紙裏面を負帯電させるようにしたロールを接地し、上ロールに＋３ｋＶを印加し、両者を６０Ｎで押圧させる態様。
・評価環境：温度２２℃、湿度ＲＨ５５％
【００４９】
実施例１では、転写前帯電器による転写前帯電処理の有無、二次転写ロールの位置（Ａ位置又はＢ位置）に応じて、用紙の種類毎に通紙性能を評価した。
結果を図２２に示す。尚、図中、‘ｇｍｓ’は用紙の坪量を示し、‘ｇ／ｍ２’に相当する。
同図によれば、用紙が‘厚紙’（本例では普通紙６４ｇｓｍ）である場合には、二次転写ロールの位置如何にかかわらず、用紙が中間転写体に貼り付いたり、二次転写ロールに巻き付くことなく、用紙の通紙性能は良好であることが理解される。
これに対し、用紙が‘薄紙’である場合には、二次転写ロールがＢ位置（オフセット５°）に移動することが通紙性能に対して効果的であることが理解される。
尚、転写前帯電器による帯電の有無については転写前帯電処理を施した方が施さない場合に比べて通紙性能が良好になることが理解される。
【００５０】
◎実施例２
本実施例は、実施例１と同様に構成の画像形成装置を用い、転写前帯電器による転写前帯電処理の有無、二次転写ロール、面出しロールの位置に応じて用紙の通紙性能、画質を評価した。
結果を図２３に示す。尚、図中、‘ｇｍｓ’は用紙の坪量を示し、‘ｇ／ｍ２’に相当する。
同図によれば、用紙が‘厚紙’（本例では普通紙６４ｇｓｍ）である場合には、二次転写ロールがＡ位置にあれば、面出しロール、張力調整ロールの位置に拘わらず、通紙性能、画質ともに良好であることが理解される。尚、二次転写ロールがＢ位置に変化し、面出しロール、張力調整ロールがＣ位置、Ｅ位置に位置するときには却って画質が不良になるという現象が見られた。
これに対し、用紙が‘薄紙’である場合には、二次転写ロールがＡ位置である場合には通紙性能が不良になってしまい、画質評価には至らない。
また、二次転写ロールをＢ位置に設定した場合には、面出しロールをＤ位置、張力調整ロールをＦ位置に設定すれば、通紙性能、画質の両方において略良好な結果が得られた。
尚、本態様でも、転写前帯電器による転写前帯電処理を施した方が施さない場合に比べて、より薄紙のものまで、通紙性能、画質が良好になることが理解される。
【符号の説明】
【００５１】
１（１ａ〜１ｄ）…像保持体，２…中間転写体，３（３ａ〜３ｃ）…張架部材，４…一次転写部材，５…二次転写部材，６…支持機構，７…面出し部材，８…搬送部材，１１…判別装置，１２…制御装置，１３…張力調整部材，１４…検知手段，１５…帯電補正手段，Ｓ…記録材
【図１】
2014191098.tif 000003
【図２】
2014191098.tif 000004
【図３】
2014191098.tif 000005
【図４】
2014191098.tif 000006
【図５】
2014191098.tif 000007
【図６】
2014191098.tif 000008
【図７】
2014191098.tif 000009
【図８】
2014191098.tif 000010
【図９】
2014191098.tif 000011
【図１０】
2014191098.tif 000012
【図１１】
2014191098.tif 000013
【図１２】
2014191098.tif 000014
【図１３】
2014191098.tif 000015
【図１４】
2014191098.tif 000016
【図１５】
2014191098.tif 000017
【図１６】
2014191098.tif 000018
【図１７】
2014191098.tif 000019
【図１８】
2014191098.tif 000020
【図１９】
2014191098.tif 000021
【図２０】
2014191098.tif 000022
【図２１】
2014191098.tif 000023
【図２２】
2014191098.tif 000024
【図２３】
2014191098.tif 000025